(57)【要約】      （修正有）【課題】自動、床ずれ防止ベットと寝たままで排尿、排便を全自動でできる事を課題とした。【解決手段】電動でベットを傾斜とスライドして角度をつける事により背中に隙間を作り床ずれを解決する。寝たままの姿勢で足上げと足下げ排尿、排便、シャワー洗浄、排水、温風乾燥を全自動化して解決する。【選択図】図１
2006055589.tif 000002
【特許請求の範囲】
【請求項１】
床を縦方向に二分割して左右に持ち上げ傾斜させ床の角度を変える事を特徴とする電動、床ずれ防止ベット。
【請求項２】
床の縦方向に頭部側と足部側の２点支持で左右に傾斜して床の角度を変える事を特徴とする電動、床ずれ防止ベット。
【請求項３】
床の半円球の底部のガイド上を左右にスライド移動し角度を変える事を特徴とする電動、床ずれ防止ベット。
【請求項４】
ワイヤードラムにワイヤーを右巻、左巻しモーター回転で床を左右に傾斜させる事を特徴とするワイヤー巻き取り装置。
【請求項５】
床上で足上げ、足下げする事を特徴とする電動足あげ、足さげ装置。
【請求項６】
カプセル式の便器をお尻にバンド式で常時、固定して排尿、排便をセンサー感知し、シャワー噴射洗浄、汚物排水、温風冷風乾燥を特徴とする電動排尿、排便装置。
【発明の詳細な説明】
【技術分野】
【０００１】本発明は床に傾斜角度をつける事により重心位置を変え、床ずれ防止とベット上で寝た姿勢で排尿排便を全自動で処理する事によって介護者の負担を軽減するものである。
【背景技術】
【０００２】従来から床ずれ防止はマット式に空気注入式と穴付きマット式がある。
【特許文献１】
【非特許文献１】
【発明の開示】
【発明が解決しようとする課題】
【０００３】本発明は床を縦方向に左右に傾斜して身体の重心移動させ背中と床に隙間をつくる事で床ずれを解決する事を課題とする。【０００４】従来の排尿、排便は介護者が抱きおこして便器に座らせるか、床に垂れ流すため、介護者は事後処理が大変な作業であった。
本発明はセンサー感知で足あげ、お尻のシャワー洗浄、汚物排水、温風冷風乾燥、足降ろしを全自動でする事を課題とする。
【課題を解決するための手段】
【０００５】請求項１と請求項２と請求項３の発明は床を縦方向に左右に傾斜とスライドさせ床に角度をつけ重心移動をする事を課題とする。【０００６】請求項４の発明はドラムにワイヤーを右巻、左巻しモーター回転でワイヤーを巻取り、巻もどしてベットを傾斜させる事を課題とする。【０００７】請求項５の発明は足あげしてお尻のシャワー洗浄を容易にする事を課題とする。【０００８】請求項６の発明はカプセル式の便器をお尻に常時バンド式で取りつけ全自動で排尿、排便の処理する事を課題とする。
【発明の効果】
【０００９】本発明により床と身体共に傾斜し角度をつけ左右に重心移動するため床ずれを防止でき、全自動で排尿、排便処理するため、介護者の労働作業は大きく軽減される効果がある。
【発明を実地するための最良の形態】
【００１０】図１は床を縦方向に二分割して左右にシリンダーで傾斜し重心移動する事によって床ずれを防止を特徴とする。
【００１１】図２と図３は床と半円球のガイド上をワイヤー巻き取り式で傾斜し重心移動する事によって床ずれを防止する事を特徴とする。
これら左右に傾斜させる機構はギヤー式、チエーン式、パンタグラフ式、ラック式でも良い。
【００１２】図３の実線内は巻取りドラムを右巻、左巻することでギヤードモーターはブレーキが不要になることを特徴とする。
ワイヤー巻き取り式はベット傾斜をわずかの力で済むのが特徴とする。
【００１３】図２の足を電動であげる事でお尻のシャワー洗浄が容易になる事を特徴とする。
足あげ機構はギヤー式、ラック式、パンダグラフ式、ワイヤー式でも良い。
【産業上の利用可能性】
【００１４】本発明に係る電動床ずれと電動排尿、排便装置は工業的に量産が可能であるため、産業上の利用可能性を有する。
【図面の簡単な説明】
【００１５】
【図１】▲１▼は縦方向に二分括し左右に傾斜する事を示す。
【図１】▲２▼は縦方向に頭部側と足部側の二点支持で傾斜する事を示す。
【図１】▲３▼はガイド上をスライドして傾斜する事を示す。
【図２】足上げ装置とカプセル式便器を常時バンド等で取付ている事を示す。
【図３】実線内はワイヤー右巻き左巻のワイヤードラムを示す。側面図はワイヤー巻き取り方法を示す  正面図はガイド、押さえ、ドラム、便器の配置を示す。
【図４】平面図はガイド位置を示す。Ａ〜Ａ’の断面詳細図を示す
【符号の説明】
【００１２】１    電動シリンダー
２    二点支持シャフト
３    右巻左巻ワイヤー・ドラム
４    ワイヤー・シーブ
５    半円球のガイド
６    右巻ワイヤー
７    左巻ワイヤー
８    手すり
９    シャワー・ノズル
１０  足上げ装置
１１  排尿、排便カプセル
１２  押さえシーブ
１３  巻き取りドラム
１４  右巻ワイヤー
１５  左巻ワイヤー
2006055589.tif 000003
2006055589.tif 000004
2006055589.tif 000005
2006055589.tif 000006
【手続補正書】
【提出日】平成17年4月4日(2005.4.4)
【手続補正１】
【補正対象書類名】特許請求の範囲
【補正対象項目名】全文
【補正方法】変更
【補正の内容】
【特許請求の範囲】
【請求項１】
カプセル式オムツ用と排水用の長穴をベットに開ける事を特徴とする電動床ずれ予防ベット。
【請求項２】
ドラムにワイヤーを右巻、左巻しモーターを左右回転してベットを傾斜させる事を特徴とするワイヤー巻き取り装置。
【請求項３】
お尻の洗浄を容易にする為、足上げ・足下げする事を特徴とする電動足あげ、足下げ装置。
【請求項４】
排水パイプ付きカプセルオムツをお尻にバンド式で常時、固定して排尿、排便をセンサー感知し、シャワー洗浄、汚物排水、温風冷風乾燥を特徴とする全自動カプセル式オムツ。
【手続補正２】
【補正対象書類名】明細書
【補正対象項目名】全文
【補正方法】変更
【補正の内容】
【発明の詳細な説明】
【技術分野】
【０００１】本発明はベットを左右に傾斜する事で身体の接触位置を変え床ずれを防止する。【０００２】寝た姿勢で排尿・排便を全自動で水洗処理する事によって介護者の負担を軽減する。
【背景技術】
【０００３】従来の床ずれ防止はマットの中に空気を注入する穴付きマットがある。【特許文献１】
【非特許文献１】
【発明の開示】
【発明が解決しようとする課題】
【０００４】本発明はベットを縦方向左右に傾斜して身体を重心移動させることで背中とベットの間に隙間をつくる事で床ずれを予防する事を課題とする。【０００５】従来の床ずれ防止は介護者が常に身体を左右に位置替していた。【０００６】排尿、排便は介護者が抱きおこして便器に座らせるかオムツ又、床に垂れ流すため、介護者は身体の位置替えと排便の事後処理が大変な作業であった。【０００７】本発明は電動、床ずれ防止とセンサー感知で足あげ、お尻のシャワー洗浄、汚物排水、温風冷風  乾燥、足降ろしを全自動で水洗処理する事を課題とする。
【課題を解決するための手段】
【０００８】請求項１の発明はベットのお尻部分にカプセル排水用の穴を開ける事を課題とする。【０００９】請求項２の発明はドラムにワイヤーを右巻、左巻しモーター回転でワイヤーを巻取り、巻もどしてベットを傾斜させる事を課題とする。【００１０】請求項３の発明は電動足あげ足下げしてお尻の洗浄を容易にする事を課題とする。【００１１】請求項４の発明はカプセル式のオムツ便器をお尻に常時バンド式で取りつけセンサー感知で水洗・排尿、排便、洗浄、乾燥処理を全自動化する事を課題とする。
【発明の効果】
【００１２】本発明によりベットと身体が傾斜し左右に重心移動するため床ずれを予防できセンサー感知して電動足上げ足下げ・排尿、排便を全自動で水洗処理する為、介護者の労働負担は大きく軽減される効果がある。
【発明を実地するための最良の形態】
【００１３】図１は床を縦方向に左右に傾斜し重心移動する事によって床ずれ防止を特徴とする。これら左右に傾斜させる機構はギヤー式、チエーン式、パンタグラフ式、ラック式でも良い。
【００１４】図２はお尻部にカプセル用の穴を開けることを特徴とする。
【００１５】図３はドラムでワイヤーで右巻、左巻することでモーターはブレーキが不要になる事を特徴とする。巻き取りドラムの機構のワイヤーはギヤー式、チェーン式、ラック式でも良い。
【００１６】図４は電動で足上げ、足下げする事でお尻の洗浄が容易になる事を特徴とする。足あげ機構はギヤー、チェーン、ラック、パンダグラフ、ワイヤー式でも良い。
【００１７】図５はカプセル式のオムツ便器を常時お尻に固定している事を特徴とする。
【産業上の利用可能性】
【００１８】本発明に係る電動、床ずれ予防ベットと全自動排尿、排便水洗処理装置は工業的に量産が可能である為、産業上の利用可能性を有する。
【図面の簡単な説明】
【００１９】
【図１】縦方向に頭部側と足部側の二点支持で左右に傾斜する事を示す。
【図２】ベットのお尻部分にカプセル用と排水用の穴が空いている事を示す。
【図３】ドラムに右巻き左巻のワイヤー巻き取り方法を示す。
【図４】電動足上げ足下げ装置を示す。
【図５】カプセル式便器を常時バンド等で取付けている事を示す。
【符号の説明】
【００２０】１    電動ベット。２    二点支持シャフト。３    右巻左巻ワイヤー・ドラム。４    ワイヤー・シーブ。５    手すり。６    右巻ワイヤー。７    左巻ワイヤー。８    ベットお尻カプセル用・穴。９    ワイヤー巻き取りドラム。１０  ギヤードモーター。１１  電動足上げ足下げ装置。１２  カプセル固定用バンド。１３  排尿、排便、排水用カプセル。
【手続補正３】
【補正対象書類名】図面
【補正対象項目名】全図
【補正方法】変更
【補正の内容】
【図１】
2006055589.tif 000007
【図２】
2006055589.tif 000008
【図３】
2006055589.tif 000009
【図４】
2006055589.tif 000010
【図５】
2006055589.tif 000011